(57)【特許請求の範囲】
【請求項１】
エスカレータ等の欄干よりも外側のデッキ上に、前記欄干と並行に配設される複数の支柱と、前記支柱間に配置される保持枠と、前記支柱と保持枠とで保持される透光性を有するパネルとを備え、
前記パネルが、一対の支柱間に隣接して保持される複数の平板状の下部パネルと前記下部パネルの上端部に載置される下端部を有し、外側に湾曲した形状を有する上部パネルとを備え、前記下部パネルの下端部は前記保持枠に支持され、前記下部パネルと前記上部パネルとの連結部分は、前記下部パネルと前記上部パネルとを前後から、一対の支柱間に設けられた一対の梁部材で挟み込むことにより結合され、
前記支柱がデッキ上に固定される支柱本体部とこの支柱本体部の欄干側の端面に対して着脱自在な抑え板とからなり、前記支柱の端面と抑え板との間にパネル端部を挟持させ、
前記保持枠および／または支柱と、これに対向する各パネル端部との間に、各パネル毎に、パネル端部に対向する向きに複数のＬＥＤを配設した帯状の光源を介装し、
前記隣接して保持される複数の下部パネルの少なくとも一方の略下半部に、微小な凹凸からなるマット面で形成されると共に視界を遮るマスクを施すと共に、
前記下部パネルの、前記マスクの施された表面とは反対側の表面には、模様等を凹部として形成したこと
を特徴とするエスカレータ等のディスプレイ装置。
【請求項２】
エスカレータ等の欄干よりも外側のデッキ上に、前記欄干と並行に配設される複数の支柱と、前記支柱間に配置される保持枠と、前記支柱と保持枠とで端部が保持される透光性を有するパネルとを備え、
前記パネルが、一対の支柱間に隣接して保持される複数の平板状の下部パネルと前記下部パネルの上端部に載置される下端部を有し、外側に湾曲した形状を有する上部パネルとを備え、
前記隣接して保持される複数の下部パネルの少なくとも一方の略下半部に、微小な凹凸からなるマット面で形成されると共に視界を遮るマスクを施すと共に、
前記下部パネルの、前記マスクの施された表面とは反対側の表面には、模様等を凹部として形成し、
前記保持枠および／または支柱と、これに対向するパネル端部との間に、パネル端部に対向する向きに複数のＬＥＤを配設した帯状の光源を介装し、
たこと
を特徴とするエスカレータ等のディスプレイ装置。
【請求項３】
請求項１又は２において、隣接して保持される複数のパネルのうち一方に対向する光源と、他方に対向する光源とを、互いに異なる発色をするように設定してあることを特徴とするエスカレータ等のディスプレイ装置。
【発明の詳細な説明】
【技術分野】
【０００１】
この発明は、エスカレータや動く歩道（以下「エスカレータ等」と言う。）に好適なディスプレイ装置に関し、より詳しくは、エスカレータ等の利用者に対する乗り越え防止あるいは転落防止のためのフェンスとしても適用可能な照明付きのディスプレイ装置に関する。
【背景技術】
【０００２】
エスカレータ等において、模様や文字等を表示するようにした装置として、例えば特許文献１および特許文献３に開示されたものが知られている。
【０００３】
特許文献１には、エスカレータのトラス側面部に透明材質で構成される透明部を設けると共に、この透明部に向けて光を発する光源装置を備え、透明部に文字等からなる表示物を設けてこれを照明することにより広告機能を発揮させるようにしたエスカレータが開示されている。前記表示物としては、透明部に広告用のシールを貼り付け、このシールを貼りかえることで季節等に応じて広告内容を容易に変更することが可能であること、ステップの移動に応じて透明部を点滅させることにより、デパート内にいる顧客の注意をひいて、その広告内容に関心を持たせることが可能になることなどが、その効果として記載されている。
【０００４】
特許文献２には、ガラス等の透明体からなる欄干サイドパネルの下方の周縁部に赤色ＬＥＤおよび緑色ＬＥＤを配設すると共に、欄干サイドパネルのステップ側の表面に赤色光で発光する塗料で「足元に注意してください」の文字等を、緑色光で発光する塗料で「エスカレータは上らないでください」の文字をそれぞれ印刷し、欄干サイドパネルを透過させた各ＬＥＤの光で前記の各文字等を発光させるようにしたエスカレータの表示装置が開示されている。この装置によれば、乗客の注意を促す文字等を容易に表示できること、発光体や配線等がエスカレータの乗客から見えることが無く、意匠上見栄えが良いことなどが、その効果として記載されている。
【０００５】
特許文献３には、透明板からなる欄干パネルの上端面または下端面と対向する位置にＬＥＤ光源を設けると共に、模様を有するフィルムや印刷などにより、欄干パネルの側面にパネル内部の光の乱反射を誘発する加工を施したエスカレータ等の欄干照明装置が開示されている。この装置によれば、欄干パネル側面での乱反射により、光量が多く光源の光量を無駄なく使用でき、欄干パネルの模様に応じた、斬新で奇抜な光模様の照明装置を創り出すことができること、模様を有するフィルムシートを適用することにより、客先の要望に応じて色々な模様のものを簡単に用意することができ、柔軟に対応することができて極めて便利であることなどが、その効果として記載されている。
【先行技術文献】
【特許文献】
【０００６】
【特許文献１】特開２００９−２０３０３９号公報
【特許文献２】特開２００７−２２３７２０号公報
【特許文献３】特開２００６−１７６２２９号公報
【発明の概要】
【発明が解決しようとする課題】
【０００７】
特許文献１のものでは、表示部分がエスカレータのトラス部側面に設けられているので、ひとたびエスカレータに乗ってしまうと表示部分を見ることはできず、エスカレータの利用者に対して装飾効果や広告効果を十分に発揮させることができない。また、この装置では、エスカレータの主要機構部分が取り付けられているトラス部の内側に照明装置等を設ける必要があるので、従来のエスカレータに適用しようとすると構造部分の改造が必要となって価格が高いものとなってしまい、また建物に既に設置されているエスカレータに適用することは、大掛かりな工事が必要になり、事実上困難である。
【０００８】
特許文献２または特許文献３のものでは、模様等は欄干パネルに印刷を施し、またはフィルムを貼付することで表わすようにしている。しかしながら、欄干パネルはエスカレータの移動手擦りを支持する機能部品であり、トラスに強固に固定される構造となっていることから、これを交換することは容易ではない。従って、欄干パネルに印刷による表示を施した場合には、例えば季節や行事に合わせた模様替えを行うことは困難である。これに対して、欄干パネルにフィルムを貼付するようにした場合には模様等の変更は比較的容易であるが、フィルムの素材によっては表面の光沢や平滑度が損なわれたり、経時劣化により透明度が低下したりするおそれを生じる。また、印刷またはフィルムの何れの場合も、模様等は欄干パネルの表面に沿った平面的なものとせざるを得ないので、パネル端面からの照明によっては必ずしも十分な照明効果が得られない。さらに、模様等の表示をエスカレータの欄干パネルに設ける構成では、エスカレータの利用者にとっては足元の至近距離から模様等を観察することになる。これでは、エスカレータの利用者には模様等が見難く、特にエスカレータの利用者と模様等は常に一定の速度で相対移動する関係にあることを考慮すると、このような構成は文字を含む広告情報等の伝達には不都合である。
【課題を解決するための手段】
【０００９】
請求項１に係る発明は、エスカレータ等の欄干よりも外側のデッキ上に、前記欄干と並行に配設される複数の支柱と、前記支柱間に配置される保持枠と、前記支柱と保持枠とで保持される透光性を有するパネルとを備え、
前記パネルが、一対の支柱間に隣接して保持される複数の平板状の下部パネルと前記下部パネルの上端部に載置される下端部を有し、外側に湾曲した形状を有する上部パネルとを備え、前記下部パネルの下端部は前記保持枠に支持され、前記下部パネルと前記上部パネルとの連結部分は、前記下部パネルと前記上部パネルとを前後から、一対の支柱間に設けられた一対の梁部材で挟み込むことにより結合され、
前記支柱がデッキ上に固定される支柱本体部とこの支柱本体部の欄干側の端面に対して着脱自在な抑え板とからなり、前記支柱の端面と抑え板との間にパネル端部を挟持させ、
前記保持枠および／または支柱と、これに対向する各パネル端部との間に、各パネル毎に、パネル端部に対向する向きに複数のＬＥＤを配設した帯状の光源を介装し、
前記隣接して保持される複数の下部パネルの少なくとも一方の略下半部に、微小な凹凸からなるマット面で形成されると共に視界を遮るマスクを施すと共に、
前記下部パネルの、前記マスクの施された表面とは反対側の表面には、模様等を凹部として形成したこと
を特徴とするエスカレータ等のディスプレイ装置である。
【００１０】
請求項２に係る発明は、エスカレータ等の欄干よりも外側のデッキ上に、前記欄干と並行に配設される複数の支柱と、前記支柱間に配置される保持枠と、前記支柱と保持枠とで端部が保持される透光性を有するパネルとを備え、
前記パネルが、一対の支柱間に隣接して保持される複数の平板状の下部パネルと前記下部パネルの上端部に載置される下端部を有し、外側に湾曲した形状を有する上部パネルとを備え、
前記隣接して保持される複数の下部パネルの少なくとも一方の略下半部に、微小な凹凸からなるマット面で形成されると共に視界を遮るマスクを施すと共に、
前記下部パネルの、前記マスクの施された表面とは反対側の表面には、模様等を凹部として形成し、
前記保持枠および／または支柱と、これに対向するパネル端部との間に、パネル端部に対向する向きに複数のＬＥＤを配設した帯状の光源を介装し、
たこと
を特徴とするエスカレータ等のディスプレイ装置である。
【００１１】
請求項３に係る発明は、請求項１又は２において、隣接して保持される複数のパネルのうち一方に対向する光源と、他方に対向する光源とを、互いに異なる発色をするように設定してあることを特徴とするエスカレータ等のディスプレイ装置である。
【発明の効果】
【００１６】
この発明は、エスカレータ等の欄干よりも外側のデッキ上に、前記欄干と並行に配設される複数の支柱、前記支柱間に配置される保持枠、前記支柱と保持枠とで端部が保持される透光性を有するパネルを基本構成として、前記保持枠および／または支柱と、これに対向するパネル端部との間に、パネル端部に対向する向きに複数のＬＥＤを配設した帯状の光源を介装した点を特徴としている。
【００１７】
前記基本構成のうち、帯状の光源を除いては、エスカレータ等において欄干の乗り越え防止あるいは吹き抜け部等への転落防止のために設けられるフェンスとして設計された既存部品を、大幅な変更を要することなく利用することが可能である。また、この発明は、エスカレータ等の欄干よりも外側のデッキ上に構成されるので、欄干やトラスなどのエスカレータ等の主要構造部分に対する改造や組み込みは不要である。したがって、この発明に係るエスカレータ等のディスプレイ装置は、既設のエスカレータ等であっても、大掛かりな工事を要することなく、短時間かつ低コストで実施をすることが可能である。
【００１８】
また、この発明に係るディスプレイ装置は、エスカレータ等の欄干よりも外側のデッキ上に構成されるので、エスカレータ等の機構部分へのアクセスを要することなく、そのパネルのみを短時間で容易に交換することができる。したがって、季節や行事に応じた模様を形成したパネルや、文字等による広告情報、案内情報を形成したパネルなど、所望のパネルに随時交換して、店舗等におけるディスプレイ効果を高めることが可能である。
【００１９】
さらに、この発明では、帯状の光源に配設したＬＥＤからの光が、透光性を有するパネルの端部からパネル内面を通過して、パネル面に凹部として形成した模様等を照射するようにしている。このとき、ＬＥＤからの光は模様等を形成する凹部のエッジ部にて乱反射することにより、模様等が明るくかつ立体的な形状としてエスカレータ等の利用者に看取されるので、模様等と利用者との距離や角度が刻々と変化する状況下においても、模様等を容易に視認させることができる。また、模様等を設けたパネルは、エスカレータ等の欄干の外側に位置しており、エスカレータ等の利用者に対して側方のやや離れた空間に位置するので、エスカレータ等の利用者に対して模様等が近接した状態にあっても視認が容易である。これらのことから、この発明によれば模様等による装飾または文字等を使用した広告や案内のディスプレイを、エスカレータ等の利用者に確実に認識させることが可能である。なお、模様等は凹部としてパネル面に直接形成してあるので、パネル面の光沢や平滑度、透明度などに影響を及ぼすこともない。
【００２０】
この発明においては、前記パネルとして、一対の支柱間に隣接して保持される複数のパネルを備えたものとすると共に、前記保持枠および／または支柱と、これに対向する各パネル端部との間に、各パネル毎に、パネル端部に対向する向きに複数のＬＥＤを配設した帯状の光源を介装した構成とすることができる。このようにすることにより、隣接した各パネルに互いに異なる模様等を施し、これらをそれぞれに対応する光源によって個別に照明することができるので、より多様な表現を行って、注目度の高いディスプレイを行うことが可能になる。さらに、この構成に加えて、前記隣接して保持される複数のパネルのうち一方に対向する光源と、他方に対向する光源とを、互いに異なる発色をするように設定することもできる。このような設定によれば、異なる発色に基づき、より優れたディスプレイ効果を演出することができる。
【００２１】
また、この発明においては、前記パネルの少なくとも略下半部、または隣接して保持される複数のパネルの少なくとも一方の略下半部に、視界を遮るマスクを施した構成とすることができる。このようにすることにより、エスカレータ利用者に対する下方からの視線を遮ることができるので、利用者の不安感または不快感を解消することができる。さらに、この構成に加えて、マスクを施した面と反対側のパネル面に、前記マスクを施した領域内に位置するように文字等の表裏を有する模様等を形成した構成とすることができる。このような構成によれば、マスクにより裏面側からの視界が遮られるので、文字など表裏を有する模様等が裏側から見えてしまう不自然さを解消することが可能になる。
【００２２】
さらに、この発明においては、前記支柱は、デッキ上に固定される支柱本体部と、この支柱本体部の欄干側の端面に対して着脱自在な抑え板とからなり、これら支柱の端面と抑え板との間にパネル端部を挟持させるようにした構成とすることができる。このような構成とすることにより、エスカレータ等の欄干側から抑え板を着脱する作業によって、パネルをより安全かつ容易に装着または交換することが可能になる。
【図面の簡単な説明】
【００２３】
【図１】この発明の第１の実施形態の組立て状態を示す外観斜視図。
【図２】前記第１の実施形態の設置状態を説明するためのエスカレータの側面図。
【図３】図２のＡ−Ａ断面図。
【図４】前記第１の実施形態の完成状態を示す三面図であり、（ａ）は正面図、（ｂ）は側面図、（ｃ）は平面図。
【図５】前記第１の実施形態のパネル取付部分の詳細を示す要部正面図。
【図６】前記第１の実施形態のパネル取付部分の詳細を示す要部側面図。
【図７】前記第１の実施形態の帯状光源の介装部分の詳細を示す要部縦断面図。
【図８】前記第１の実施形態の帯状光源の一部を示す平面図。
【図９】前記実施形態の照明作用について説明するための要部縦断面図。
【図１０】この発明の第２の実施形態の帯状光源の介装部分の詳細を示す要部縦断面図。
【図１１】前記第２の実施形態の帯状光源の一部を示す平面図。
【図１２】この発明のパネルに関する実施形態を示し、（ａ）は第１のパターン、（ｂ）は第２のパターンをそれぞれ示す正面図。
【図１３】この発明のパネルに関する実施形態を示し、（ｃ）は第３のパターン、（ｄ）は第４のパターンをそれぞれ示す正面図。
【図１４】この発明の第３の実施形態の完成状態を示す正面図。
【図１５】この発明による視認効果を従来技術との比較において説明するための説明図であり、（ａ）はエスカレータの平面図、（ｂ）は同じく側面図。
【発明を実施するための形態】
【００２４】
次に、この発明のいくつかの実施形態につき図面に基づいて説明する。なお、各図、各実施形態において互いに対応する部分には同一の符号を付して示すことにする。図１〜図９は、この発明をエスカレータのフェンスを兼ねたディスプレイ装置として適用した第１の実施形態を示している。図において、１はエスカレータのトラス、２は欄干、３は移動手擦り、４はステップ、５は内側デッキ、６は外側デッキである（図２、図３参照）。また、１１は支柱、２１は保持枠、３１はパネル、４１は帯状の光源であり、これらによってこの実施形態に係るエスカレータのディスプレイ装置の基本構成をなしている。
【００２５】
エスカレータは、図２または図３に示したように、移動手擦り３を備えた透明な強化ガラスなどからなるパネル状の欄干２がトラス１上に取り付けられており、このトラス１の欄干２とステップ４との間の間隙部分と、欄干２の外側部分とを、それぞれ鋼板などからなる内側デッキ５と外側デッキ６で覆った構造となっている。
【００２６】
前記外側デッキ６上には、欄干２から側方に、例えば２００〜５００ｍｍ程度離れた位置に、欄干２と並行に複数の支柱１１を所定間隔で配設すると共に、各支柱１１間に位置するように外側デッキ６上に保持枠２１を配設し、これら支柱１１と保持枠２１とで、パネル３１を保持させている。
【００２７】
より詳しくは、支柱１１は、図１または図４に示したように、外側デッキ６上に起立するように、例えばトラスの構造体部分に溶接やボルト結合等により固定される角柱形状の支柱本体部１２と、この支柱本体部１２の欄干２側の端面に対してそれぞれ着脱自在に設けられる上部抑え板１３および下部抑え板１４とからなる。保持枠２１は、上向きに開放したＵ字型断面形状を有し、外側デッキ６上の、一対の支柱１１間に位置して、前記開放部分からパネル３１を嵌合することで、パネル３１の下端部を外側デッキ６上に固定する。パネル３１は、外側に湾曲した形状の上部パネル３２と、平板状の下部パネル３３とからなり、それぞれ硬質アクリル樹脂板や強化ガラス板など、透光性を有する材質からなる。
【００２８】
前記の支柱１１（支柱本体部１２）、保持枠２１、パネル３１などは、エスカレータ用のフェンスを構成する部品として製造されたものを使用可能である。なお、パネル３１は、上方の曲面部分と下方の平面部分とが一枚のパネルとして一体形成されたものが既存のフェンス用部品として提供されているので、これを上下に切断することで、前述の上部パネル３２と下部パネル３３とからなるパネル３１として使用している。
【００２９】
図４および図６は、前記支柱１１、保持枠２１、パネル３１を外側デッキ６上に組み付けた完成状態を示している。パネル３１の下部パネル３３は、その下端部を保持枠１２に嵌合して保持させると共に、両端部を一対の支柱１１にて保持させることで外側デッキ６上に起立状態で固定する。パネル３１の上部パネル３２は、その両端部を一対の支柱１１にて保持させることで、下部パネル３３の上端部に連結する態様で固定する。
【００３０】
図５と図６は、パネル３１と支柱１１の固定構造の詳細を示している。上部抑え板１３と下部抑え板１４には、それぞれ支柱本体部１２に面して貫通孔１６が形成されており、この貫通孔１６と対応するように支柱本体部１２にはネジ孔１７が長手方向に沿って複数個形成されている。パネル３１の固定は、まず下部パネル３３について、その端部を下部抑え板１４と支柱本体部１２の対向端面部分との間に挟み込み、下部抑え板１４の貫通孔１６に通したボルト１５を支柱本体部１２の対応するネジ孔１７に締め込んで、下部抑え板１４を支柱本体部１２に締め付けることで保持させる。上部パネル３２についても同様の要領であり、その端部を上部抑え板１３とこれに対向する支柱本体部１２の対向端面部分との間に挟み込み、上部抑え板１３の貫通孔１６に通したボルト１５を支柱本体部１２の対応するネジ孔１７に締め込んで、上部抑え板１３を支柱本体部１２に締め付けることで保持させる。
【００３１】
なお、ディスプレイ装置としては、前述したようにパネル３１（３２，３３）の両端部のみを支柱１１に固定するのみでもよいが、乗り越え防止等のためのフェンスとして、より強固な構造とするためには、上下のパネル３２と３３の連結部分とを相互に結合して両支柱１１間に支持する構造を設けることが望ましい。このためには、例えば、図１または図４に想像線で示したように、上下のパネル３２と３３との接続部分にわたってこれらを前後から挟み込む梁部材１８と１９を両側の支柱１１間に設け、これら梁部材１８と１９とをパネル３２および３３を貫通して相互に結合するボルト等の締結具（図示せず）で固定する構造とする。
【００３２】
下部パネル３３は、前述のようにしてその両端部が支柱１１に保持される一方、下端部は外側デッキ６上に取り付けられた保持枠２１によって保持される。下部パネル３３の実際の取り付け手順としては、外側デッキ６上に、一対の支柱１１間に位置するように予め載置された保持枠２１に対して下部パネル３３の下端部を嵌合し、次いで前述のようにして支柱本体部１２と下部抑え板１４との間にパネル両端部を締め付ける。
【００３３】
この実施形態では、図７に示したように、下部パネル３３の下端部と保持枠２１の底面との間に、帯状の光源４１を介装してある。帯状の光源４１は、例えば図８に示したように細長い矩形状の配線基板４２の上に複数のＬＥＤ４３を配設してなり、図示しない電源との接続により各ＬＥＤ４３が同時に点灯するように構成したものである。基板４２は、その幅が保持枠２１の溝底部に納まる程度の細長い形状となっている。具体的には、パネル３１としてアクリル樹脂板を使用する場合、一般にその厚さは８〜１２ｍｍ程度であるので、基板４２もそれに合わせた幅に設定すればよい。複数個のＬＥＤ４３の取り付け間隔は任意であり、例えば１０〜２０ｍｍ間隔で基板４２上に配設する。この帯状の光源４１は、数個のＬＥＤ４３を配設した比較的短い寸法の基板４２を多数連結することで、下部パネル３３の下端部の長さに対応した所要長さのものが得られるようにしてもよい。
【００３４】
帯状の光源４１は、図示したようにＬＥＤ４３が下部パネル３３の下端部に対向するようにして保持枠２１に設けるのであり、これによりＬＥＤ４３の発光時にその光が下部パネル３３の内部を透過するように図る。なお、帯状の光源４１およびＬＥＤ４３を保護するために、基板４２と下部パネル３３下端部との間または基板４２と保持枠２１との間に、クッション材（図示せず）を介在させるようにしてもよい。
【００３５】
そして、下部パネル３３の表面には、図９に示したように、模様や文字等を構成する凹部５１を形成する。凹部５１の形状は、装飾のための模様や広告・案内のための文字など任意であり（例えば図１２を参照）、その深さは例えば１〜３ｍｍ程度で十分である。このような凹部５１は、例えばＮＣルータを使用することで自動加工することが可能である。
【００３６】
次に、この実施形態の作用効果について説明する。前記構成においては、帯状の光源４１に配設したＬＥＤ４３からの光が、透光性を有する下部パネル３３の下端部からパネル内面を通過して、パネル面に凹部５１として形成した模様等を照射する。このとき、図９に示したように、ＬＥＤ４３からの光は模様等を形成する凹部５１のエッジ部にて乱反射することにより、模様等が明るくかつ立体的な形状としてエスカレータの利用者に看取されるので、模様等と利用者との距離や角度が刻々と変化する状況下においても、利用者に模様等を容易に視認させることができる。また、模様等を設けたパネル３３は、エスカレータの欄干２の外側に位置しており、エスカレータの利用者に対して側方のやや離れた空間に位置しているので、エスカレータの利用者に対して模様等が近接した状態にあっても視認が容易である。
【００３７】
前記作用効果の詳細を、図１５に基づき、従来技術との比較において説明する。図において、Ｅはエスカレータ、Ｐはその利用者、Ｍ１は実施形態に係るパネル３１に設けた模様（星形模様）、Ｍ２は従来技術において欄干２のパネル面に設けた模様（十字模様）をそれぞれ示している。また、矢印は利用者Ｐが前記模様Ｍ１またはＭ２を視認するときの視線を表しており、実線の矢印は実施形態における視線を、破線の矢印は従来技術における視線を、それぞれ表わしている。白抜きの矢印はエスカレータＥの移動方向を示している。図において、模様Ｍ１とＭ２が利用者Ｐから比較的遠くにある場合には、それぞれに対する視線の角度に大きな差は無い。ただし、模様Ｍ１は前述のように凹部５１として立体的に形成してあり、その輪郭をなすエッジ部での乱反射により模様等を表現しているので、印刷あるいはシール等により平面的に表現された従来技術の模様Ｍ２に比較してより視認性が高く、したがって遠方にあっても利用者Ｐからの認識度および注目度が高いものとなる。また、エスカレータの利用者Ｐに対して相対移動する模様Ｍ１，Ｍ２は、利用者Ｐに刻々と接近してくることになるが、このような移動状態においても、前述した視認性の高さから、利用者Ｐには、模様Ｍ１のほうがより明瞭に看取することができる。さらに、模様Ｍ１およびＭ２が利用者Ｐの間近にまで接近した状態においては、図示したように従来技術における模様Ｍ２は利用者Ｐの足元付近に移動してくることになるので、利用者Ｐは腰をかがめるなどしてこれを覗き込むようにしない限り、模様Ｍ２を正しく見ることができない。これに対して、模様Ｍ１は、利用者Ｐに対して近接した状態にあっても、側方にてある程度離隔した位置を通過することになるので、利用者Ｐは姿勢を変えることなく、無理なく模様Ｍ１を見ることができる。このようにして、この実施形態によれば、模様等による装飾または文字等を使用した広告や案内のディスプレイを、エスカレータの利用者に確実に認識させることができる。
【００３８】
また、この実施形態によれば、帯状の光源４１を除いては、エスカレータにおいて欄干２の乗り越え防止あるいは吹き抜け部等への転落防止のために設けられるフェンスとして設計された既存部品を、大幅な変更を要することなく利用することが可能であること、およびこの実施形態は、エスカレータの欄干２よりも外側のデッキ６上に構成されるので、欄干２やトラス１などのエスカレータの主要構造部分に対する改造や組み込みは不要であることから、既設のエスカレータであっても、大掛かりな工事を要することなく、短時間かつ低コストで実施をすることができる。
【００３９】
さらに、この実施形態に係るディスプレイ装置は、エスカレータの欄干２よりも外側のデッキ６上に構成されるので、エスカレータの機構部分へのアクセスを要することなく、その下部パネル３３のみを短時間で容易に交換することができ、したがって、季節等に応じた所望のパネル３３に随時交換して、店舗等におけるディスプレイ効果を高めることができる。特に、この実施形態では、支柱１１を、外側デッキ６上に固定される支柱本体部１２と、この支柱本体部１２の欄干２側の端面に対して着脱自在な上部抑え板１３および下部１４から構成し、支柱本体部１２の端面と下部抑え板１４との間に下部パネル３３の端部を保持させるようにしたので、エスカレータの欄干２側から下部抑え板１４を着脱する作業によって、模様となる凹部５１を形成した下部パネル３３を、より安全かつ容易に装着または交換することができるという利点がある。
【００４０】
次に、この発明の第２の実施形態について、図１０〜図１３に基づいて説明する。この実施形態は、支柱１１、保持枠２１、パネル３１等によりフェンスを形成する基本構成においては前記第１の実施形態と同一である。ただし、下部パネル３３を、図１０に示したように、互いに隣接して保持される複数のパネル、この場合は２枚のパネル３３Ａと３３Ｂを備えたものとすると共に、前記保持枠２１と前記各パネル３３Ａ，３３Ｂの端部との間に、各パネル毎に、パネル端部に対向する向きに複数列のＬＥＤ４３Ａ、４３Ｂを配設した帯状の光源４１（図１１参照）を介装した構成とした点で異なっている。
【００４１】
この実施形態によれば、隣接した各パネル３３Ａ、３３Ｂに互いに異なる模様等を施し、これらをそれぞれに対応するＬＥＤ４３Ａ、４３Ｂによって個別に照明することができるので、より多様な表現を行って、注目度の高いディスプレイを行うことが可能になる。さらに、この構成に加えて、隣接する一方のパネル３３Ａに対向するＬＥＤ４３Ａと、他方のパネル３３Ｂに対向するＬＥＤ４３Ｂとを、互いに異なる発色をするように設定してもよい。この場合、ＬＥＤ４３ＡとＬＥＤ４３Ｂとを互いに異なる色のものとするだけでなく、色の組合せが異なるようにしてもよく、例えば、ＬＥＤ４３Ａとして赤と白の組合せ、ＬＥＤ４３Ｂとして緑と赤の組合せとするなどして、種々の色彩表現が可能である。このような設定によれば、異なる発色に基づき、より優れたディスプレイ効果を演出することができる。図１２はパネル３３Ａと３３Ｂの模様設定例を示したもので、図の（ａ）に示したパネル３３Ａには星形の模様を、図の（ｂ）に示したパネル３３Ｂにはリボンの模様を、それぞれ凹部により形成してある。この２枚のパネル３３Ａ、３３Ｂを隣接して設けたうえで、例えばパネル３３Ａに対しては白色ＬＥＤによる照明を、パネル３３Ｂに対しては赤色ＬＥＤによる照明を、それぞれ施すことにより、エスカレータに設置した状態においては、白色に輝く星形模様と、赤色で輝くリボン模様とが重なって観察されることになり、鮮やかで注目度の高いディスプレイとなる。
【００４２】
図１３は、下部パネル３３（３３Ａ，３３Ｂ）に関する他の実施形態である。この実施形態におけるパネル３３は、その少なくとも略下半部に、視界を遮るマスク５２を施した構成としたものである。このようなマスク５２を設けることにより、エスカレータ利用者に対する下方からの視線を遮ることができるので、利用者の不安感または不快感を解消することができる。このようなマスク５２は、塗装や印刷、着色したシートなどで形成することができるが、好ましくは微小な凹凸からなるマット面で構成することが好ましい。マット面は、例えばパネル３３の表面にワイヤブラシ加工あるいはサンドブラスト加工を施すことで形成することができる。マット面からなるマスク５２は、単に視線を遮るだけでなく、その微小な凹凸により、ＬＥＤからの光を乱反射して美麗な装飾効果をも発揮する。
【００４３】
図の（ｂ）は、マスク５２を施した構成に加えて、マスク５２を施した面と反対側のパネル面に、前記マスク５２を施した領域内に位置するように文字を表わす凹部５１を形成したものである。この実施形態によれば、マスク５２により裏面側からの視界が遮られるので、文字など表裏を有する模様等が裏側から見えてしまう不自然さを解消することができる。なお、図１０のように２枚のパネル３３Ａ、３３Ｂを隣接して設けた構成においては、何れか一方のパネルに、他方と隣接する側の面にマスク５２を施すと共に、各パネルの表面側に文字等を設けることにより、マスク５２を挟んで両面側に、互いに視覚的な干渉を起こすことなく文字等の表現を行うことができる。
【００４４】
図１４は、この発明の第３の実勢形態を示している。この発明では、帯状の光源４１を設ける場所はエスカレータ等のデッキ上に直接的に配設される保持枠２１に限られず、支柱１１とパネル３３の端部との間であってもよく、あるいは保持枠２１と支柱１１の双方に帯状の光源４１を設けるようにしてもよく、所望する照明効果あるいは光量に応じて任意に選択することができる。例えば、この実施形態は、一対の支柱１１によって上下二段に２枚のパネル３３を保持した構成において、各パネル３３の連結部分にあたる中間位置に保持枠２２を設け、この保持枠２２に収装した帯状の光源４１を介して、上下２枚のパネル３３のそれぞれを照明するようにしたものである。
【００４５】
なお、このように、この発明においては帯状の光源を設ける位置は選択することができるが、帯状の光源を設けないこととしたパネル端部に対しては、照明の効率を高めるために反射面を形成して、ＬＥＤからの光がパネル端部で反射するように図ることが望ましい。このような反射面は、例えば板状または箔状のアルミ材や銅材で形成することができる。
【００４６】
また、前記各実施形態は、フェンスを兼ねる態様のディスプレイ装置としたものであるが、この発明はこのような態様のものに限られるものではない。例えば、フェンスとしての強度を必要としない場合には、パネルをその両端にて保持する支柱は、エスカレータの外側デッキ上にビス等で固定する簡易な構造のものとしてもよく、または既にフェンスが設けられている場合には、一対の支柱および保持枠にて帯状の光源と共に保持したパネルを、既設のフェンスに併設する態様でディスプレイ装置を構成するようにしてもよい。
【００４７】
すなわち、前述した各実施形態はこの発明の具体的な構成例をいくつか示したものであるに過ぎず、この発明の技術的範囲が実施形態の内容に限定されるものではない。
【符号の説明】
【００４８】
１    エスカレータのトラス
２    欄干
３    移動手擦り
４    ステップ
５    内側デッキ
６    外側デッキ
１１    支柱
１２    支柱本体部
１３    上部抑え板
１４    下部抑え板
１５    ボルト
１６    貫通孔
１７    ネジ孔
１８、１９    梁部材
２１、２２    保持枠
３１    パネル
３２    上部パネル
３３、３３Ａ、３３Ｂ    下部パネル
４１    帯状の光源
４２    基板
４３、４３Ａ、４３Ｂ    ＬＥＤ
５１    模様等を形成する凹部
５２    マスク
【図１】
0005567820.tif 000002
【図２】
0005567820.tif 000003
【図３】
0005567820.tif 000004
【図４】
0005567820.tif 000005
【図５】
0005567820.tif 000006
【図６】
0005567820.tif 000007
【図７】
0005567820.tif 000008
【図８】
0005567820.tif 000009
【図９】
0005567820.tif 000010
【図１０】
0005567820.tif 000011
【図１１】
0005567820.tif 000012
【図１２】
0005567820.tif 000013
【図１３】
0005567820.tif 000014
【図１４】
0005567820.tif 000015
【図１５】
0005567820.tif 000016